(57)【要約】  【課題】本発明は、情報表示能力の低減を抑えつつ、従来より一層の省電力化を図ることが可能な電子機器を提供することを目的とする。  【解決手段】本発明に係る複合機Ｘは、各種情報を表示するためのメインパネルＡと、メインパネルＡより消費電力の小さいサブパネルＢと、各パネルＡ、Ｂの電源制御並びに一部機能停止制御を行うパネルコントローラＣと、を有して成り、パネルコントローラＣは、機器の使用状況に応じて、各パネルＡ、Ｂの動作モードを、全機能が使用可能とされた通常モード、一部機能が停止されたスリープモード、及び電源供給が遮断されたシャットダウンモードのいずれかとする構成としている。【選択図】      図１
2005153274.tif 000002
【特許請求の範囲】
【請求項１】
各種情報を表示するための第１パネルと、第１パネルより消費電力の小さい第２パネルと、各パネルの電源制御並びに一部機能停止制御を行うパネルコントローラと、を有して成り、前記パネルコントローラは、機器の使用状況に応じて、各パネルの動作モードを、全機能が使用可能とされた通常モード、一部機能が停止されたスリープモード、及び電源供給が遮断されたシャットダウンモードのいずれかとすることを特徴とする電子機器。
【請求項２】
各パネルの動作モードの組合わせパターンが格納されたパネル制御テーブルを有して成り、前記パネルコントローラは、前記パネル制御テーブルに基づいて、各パネルの動作モードを遷移制御することを特徴とする請求項１に記載の電子機器。
【請求項３】
前記パネル制御テーブルは、各パネルの動作モードの組合わせパターンとして、第１パネルを前記通常モードとし第２パネルを前記シャットダウンモードとする通常状態と、第１パネルを前記スリープモードとし第２パネルを前記通常モードとする第１節電状態と、第１パネルを前記シャットダウンモードとし第２パネルを前記通常状態とする第２節電状態と、第１パネルを前記シャットダウンモードとし第２パネルを前記スリープモードとする第３節電状態と、第１、第２パネルをともに前記シャットダウンモードとする第４節電状態と、を格納して成ることを特徴とする請求項２に記載の電子機器。
【請求項４】
入力操作を受け付ける操作部を有して成り、前記パネルコントローラは、前記操作部に入力操作が為されないまま所定時間が経過する毎に、機器の動作状態を前記通常状態から第１、第２、第３、第４節電状態へと段階的に切り換えるべく、各パネルの動作モードを遷移制御することを特徴とする請求項３に記載の電子機器。
【請求項５】
機器の動作状態が第１〜第４節電状態のいずれかである場合、前記パネルコントローラは、前記操作部に入力操作が為された時点で、機器の動作状態を前記通常状態とすべく、各パネルの動作モードを遷移制御することを特徴とする請求項４に記載の電子機器。
【請求項６】
機器外部との間でデータ通信を行う通信部を有して成り、機器の動作状態が第３、第４節電状態である場合、前記パネルコントローラは、前記通信部でのデータ通信が為された時点で、機器の動作状態を第２節電状態とすべく、各パネルの動作モードを遷移制御することを特徴とする請求項３〜５のいずれかに記載の電子機器。
【発明の詳細な説明】
【技術分野】
【０００１】
本発明は、表示パネルを有する電子機器に関するものであり、特に、前記表示パネルの節電制御に関するものである。
【背景技術】
【０００２】
近年、環境問題の意識とともに省エネルギー化が進んでいる。特に、画像処理制御を中心機能としたＯＡ［Office Automation］機器（複写機、プリンタ、ファクシミリ、スキャナ、メーラ、或いはそれらの機能を併せ持つ複合機など、画像形成装置全般）においては、以前からＥｎａｇｙＳｔａｒ等の省エネルギーに関する規格が定められ、消費電力の低い製品が要望されている。
【０００３】
特に、搭載機能の多様化・複雑化に伴ってより大型の表示パネル（例えば、Ｂ５サイズのタッチセンサ付き表示パネル）が具備される傾向にある複合機では、当該表示パネルの消費電力が無視できなくなっており、上記の省エネルギー化を図る上でその有効な節電制御が求められている。
【０００４】
なお、従来より、表示パネルの節電制御としては、機器無操作時におけるバックライト消灯制御が広く一般に行われている。また、メインパネルとサブパネルを有して成り、ジョブ処理中（例えばコピー動作中）はメインパネルのバックライトを消灯する一方、より消費電力の小さいサブパネルを駆動する画像処理装置も開示・提案されている（例えば、特許文献１を参照）。
【特許文献１】特開２００１−２９６９８３号公報
【発明の開示】
【発明が解決しようとする課題】
【０００５】
確かに、上記の節電技術を採用すれば、表示パネルの消費電力をある程度低減することが可能である。
【０００６】
しかしながら、従来の節電技術では、機器無操作時やジョブ処理中に表示パネルのバックライトが消灯されるに過ぎず、該表示パネルへの電源供給は依然として継続されていたため、必ずしも最大限の省電力化が図られていなかった。特に、大型の表示パネルでは、通電を続けているだけでも無視できない大きさの電力が浪費されてしまうため、このような大型の表示パネルを備えた複合機について、従来の節電技術をそのまま採用しただけでは、正常状態（ジャム、用紙切れ、その他の異常が生じていない状態）でのコピー動作中やデータ受信中など、表示パネルにおける表示内容確認や機器操作が不要な場合でも、表示パネルで電力が浪費されてしまい、省電力化の要請に十分応えることができなかった。
【０００７】
また、メインパネルとサブパネルを有する上記の画像処理装置は、メインパネルの省電力制御のみを鑑みて為されたものであり、サブパネルの省電力制御については、何ら考慮言及されていなかった。
【０００８】
本発明は、上記の問題点に鑑み、情報表示能力の低下を抑えつつ、従来より一層の省電力化を図ることが可能な電子機器を提供することを目的とする。
【課題を解決するための手段】
【０００９】
上記目的を達成するために、本発明に係る電子機器は、各種情報を表示するための第１パネルと、第１パネルより消費電力の小さい第２パネルと、各パネルの電源制御並びに一部機能停止制御を行うパネルコントローラと、を有して成り、前記パネルコントローラは機器の使用状況に応じて、各パネルの動作モードを、全機能が使用可能とされた通常モード、一部機能が停止されたスリープモード、及び電源供給が遮断されたシャットダウンモードのいずれかとする構成としている。このような構成とすることにより、情報表示能力の低減を抑えつつ、従来より一層の省電力化を図ることが可能となる。
【００１０】
なお、上記構成から成る電子機器は、各パネルの動作モードの組合わせパターンが格納されたパネル制御テーブルを有して成り、前記パネルコントローラは、前記パネル制御テーブルに基づいて、各パネルの動作モードを遷移制御する構成にするとよい。具体的に述べると、前記パネル制御テーブルは、各パネルの動作モードの組合わせパターンとして、第１パネルを前記通常モードとし第２パネルを前記シャットダウンモードとする通常状態と、第１パネルを前記スリープモードとし第２パネルを前記通常モードとする第１節電状態と、第１パネルを前記シャットダウンモードとし第２パネルを前記通常状態とする第２節電状態と、第１パネルを前記シャットダウンモードとし第２パネルを前記スリープモードとする第３節電状態と、第１、第２パネルをともに前記シャットダウンモードとする第４節電状態と、を格納して成る構成にするとよい。このような構成とすることにより、パネルコントローラでは、各パネルの動作モードを簡易に遷移制御することが可能となる。
【００１１】
また、上記構成から成る電子機器は、入力操作を受け付ける操作部を有して成り、前記パネルコントローラは、前記操作部に入力操作が為されないまま所定時間が経過する毎に機器の動作状態を前記通常状態から第１、第２、第３、第４節電状態へと段階的に切り換えるべく、各パネルの動作モードを遷移制御する構成にするとよい。このような構成とすることにより、情報表示能力の維持と状態復帰の迅速性向上を図りつつ、適切な省電力化を行うことが可能となる。
【００１２】
また、上記構成から成る電子機器において、機器の動作状態が第１〜第４節電状態のいずれかである場合、前記パネルコントローラは、前記操作部に入力操作が為された時点で機器の動作状態を前記通常状態とすべく、各パネルの動作モードを遷移制御する構成にするとよい。このような構成とすることにより、必要に応じて第１パネルにおける表示内容確認や機器操作を遅滞なく行うことが可能となる。
【００１３】
また、上記構成から成る電子機器は、機器外部との間でデータ通信を行う通信部を有して成り、機器の動作状態が第３、第４節電状態である場合、前記パネルコントローラは、前記通信部でのデータ通信が為された時点で、機器の動作状態を第２節電状態とすべく、各パネルの動作モードを遷移制御する構成にするとよい。このような構成とすることにより、機器の消費電力を不要に増大することなく、データ通信が為された旨を的確に報知することが可能となる。
【発明の効果】
【００１４】
上記したように、本発明に係る電子機器であれば、情報表示能力の低減を抑えつつ、従来より一層の省電力化を図ることが可能となる。
【発明を実施するための最良の形態】
【００１５】
以下では、複写機、プリンタ、ファクシミリ、スキャナ、メーラ等の機能を併せ持つ複合機に本発明を適用した場合を例に挙げて説明を行う。図１は本発明に係る複合機の一実施形態を示す要部ブロック図である。
【００１６】
本図に示すように、本実施形態の複合機Ｘは、各種情報を表示するためのメインパネルＡと、該メインパネルＡより消費電力の小さいサブパネルＢと、両パネルＡ、Ｂの駆動制御を行うパネルコントローラＣと、入力操作を受け付ける操作部Ｄと、機器外部との間で画像データ等の授受を行う通信部Ｅと、を有して成る。なお、複合機Ｘは、上記の構成要素のほか、画像読取動作や画像形成動作に必要な構成要素（画像読取部、画像形成部、定着部、用紙収納部、用紙搬送部など）を当然に有して成る。
【００１７】
メインパネルＡは、液晶ディスプレイ等から成る表示部Ａ１と、表示部Ａ１に対する起動メッセージ等の表示制御を行う起動制御部Ａ２と、メインパネルＡ各部への電源供給制御を行う電源制御部Ａ３と、メインパネルＡの一部機能停止制御（本実施形態では、表示部Ａ１のバックライト消灯制御）を行うスリープ制御部Ａ４と、を有して成る。
【００１８】
サブパネルＢは、液晶ディスプレイ等から成る表示部Ｂ１と、サブパネルＢ各部への電源供給制御を行う電源制御部Ｂ２と、サブパネルＢの一部機能停止制御（本実施形態では表示部Ｂ１のバックライト消灯制御）を行うスリープ制御部Ｂ３と、を有して成る。
【００１９】
パネルコントローラＣは、操作部Ｄに対する入力操作の有無並びに通信部Ｅにおけるデータ通信の有無を監視する状態監視部Ｃ１と、メインパネルＡの起動制御部Ａ２に指示を送る起動制御部Ｃ２と、メインパネルＡの電源制御部Ａ３及びサブパネルＢの電源制御部Ｂ２に各々指示を送る電源制御部Ｃ３と、メインパネルＡのスリープ制御部Ａ４及びサブパネルＢのスリープ制御部Ｂ３に各々指示を送るスリープ制御部Ｃ４と、を有して成る。なお、起動制御部Ｃ２、電源制御部Ｃ３、及びスリープ制御部Ｃ４は、いずれも状態監視部Ｃ１での監視結果に基づいた指示を各パネルＡ、Ｂに送出することで、その動作モードを遷移制御するものである。
【００２０】
図２はパネルＡ、Ｂの動作モードを説明するための図である。本図に示すように、パネルＡ、Ｂの動作モードとしては、イニシャライズの起動メッセージ等を表示する起動モード（パワーオンリセット時に必ず移行されるモードであり、メインパネルＡにのみ適用）と、全機能が使用可能とされた通常モードと、一部機能が停止されたスリープモード（通常モードへの迅速な復帰を実現すべく、電源供給を継続したままバックライト消灯のみが行われた状態）と、電源供給が遮断されたシャットダウンモードが設けられている。
【００２１】
また、本実施形態の複合機Ｘは、各パネルＡ、Ｂの動作モードの組合わせパターンが格納されたパネル制御テーブル（不図示）を有して成り、パネルコントローラＣでは、該パネル制御テーブルに基づいて、各パネルＡ、Ｂの動作モードが遷移制御される。
【００２２】
図３はパネル制御テーブルの一例である。本図に示すように、パネル制御テーブルは、各パネルＡ、Ｂの動作モードの組合わせパターンとして、パネルＡ、Ｂをともに本体電源投入時のパワーオンリセット動作とするパワーオンリセット状態ａと、メインパネルＡを起動モードとしサブパネルＢをシャットダウンモードとする起動表示状態ｂと、メインパネルＡを通常モードとしサブパネルＢをシャットダウンモードとする通常状態ｃと、メインパネルＡをスリープモードとしサブパネルＢを通常モードとする第１節電状態ｄと、メインパネルＡをシャットダウンモードとしサブパネルＢを通常状態とする第２節電状態ｅと、メインパネルＡをシャットダウンモードとしサブパネルＢをスリープモードとする第３節電状態ｆと、パネルＡ、Ｂをともにシャットダウンモードとする第４節電状態ｇと、を格納して成る。このように、各パネルＡ、Ｂの動作モードの組合わせパターンを予め格納しておき、必要に応じてその内容を読み出す構成とすることにより、パネルコントローラＣでは、各パネルＡ、Ｂの動作モードを簡易に遷移制御することが可能となる。
【００２３】
上記したパネルコントローラＣによる各パネルＡ、Ｂの動作状態遷移制御について、より具体的に説明する。状態監視部Ｃ１は、操作部Ｄ及び通信部Ｅの監視結果とパネル制御テーブルの格納内容に基づいて、各パネルＡ、Ｂの動作モードを決定した後、起動制御部Ｃ２、電源制御部Ｃ３、及びスリープ制御部Ｃ４に対して、決定された各パネルＡ、Ｂの動作モードに関する情報を送出する。
【００２４】
起動制御部Ｃ２は、状態監視部Ｃ１から得られた情報に応じてメインパネルＡを起動モードにするか否かを判別し、メインパネルＡの起動制御部Ａ２に対して指示を送る。電源制御部Ｃ３は、状態監視部Ｃ１から得られた情報に応じて各パネルＡ、Ｂをシャットダウンモードにするか否かを判別し、当該モードにするのであれば電源供給を遮断し、他モードにするのであれば電源供給を継続するように、各パネルＡ、Ｂの電源制御部Ａ３、Ｂ２に対して指示を送る。スリープ制御部Ｃ４は、状態監視部Ｃ１から得られた情報に応じて各パネルＡ、Ｂをスリープモードにするか否かを判別し、各パネルＡ、Ｂのスリープ制御部Ａ４、Ｂ３に対して指示を送る。
【００２５】
各パネルＡ、Ｂは、パネルコントローラＣから得られた指示を各制御部Ａ２〜Ａ４、Ｂ２、Ｂ３で解釈し、表示部Ａ１での起動メッセージ表示制御、パネルＡ、Ｂ各部への電源供給制御、並びに表示部Ａ１、Ｂ１のバックライト消灯制御を行う。
【００２６】
次に、上記構成から成る複合機Ｘの動作状態遷移について詳細な説明を行う。図４は複合機Ｘの動作状態遷移を説明するためのフローチャートである。本図に示すように、複合機Ｘの動作状態は、電源投入直後のステップＳ１において、パネル制御テーブルの原点であるパワーオンリセット状態ａとされた後、ステップＳ２において、起動表示状態ｂに遷移され、「ｓｅｌｆ  ｔｅｓｔ」等の起動メッセージがメインパネルＡに表示される。
【００２７】
その後、ステップＳ３では、複合機Ｘの動作状態が通常状態ｃに遷移され、メインパネルＡが通常モード、サブパネルＢがシャットダウンモードとされる。なお、当該通常状態ｃへの遷移と同時に、タイマ（不図示）がリセットされる。また、当該通常状態ｃへの遷移後は、本体電源がオフされるまで、複合機Ｘの動作状態がパワーオンリセット状態ａや起動表示状態ｂに戻されることはない。
【００２８】
複合機Ｘの動作状態が通常状態ｃとされている場合、ステップＳ４では、操作部Ｄに対して入力操作が為されたか否かの判定が行われる。ここで、入力操作が為されていないと判定された場合は、フローがステップＳ５に進められる。一方、入力操作が為されたと判定された場合は、フローがステップＳ３に戻されて、複合機Ｘの動作状態は、引き続き通常状態ｃに維持される。
【００２９】
ステップＳ４で操作部Ｄに入力操作が為されていないと判定された場合、ステップＳ５では、前記タイマのカウント値に基づいて、操作部Ｄに入力操作が為されないまま所定時間Ｔ１を経過しているか否かの判定が行われる。ここで、所定時間Ｔ１を経過していると判定された場合は、フローがステップＳ６に進められ、経過していないと判定された場合は、フローがステップＳ４に戻される。
【００３０】
ステップＳ５で所定時間Ｔ１を経過していると判定された場合、ステップＳ６では、複合機Ｘの動作状態が第１節電状態ｄに遷移され、メインパネルＡがスリープモード、サブパネルＢが通常モードとされる。すなわち、複合機Ｘの動作状態は、通常状態ｃへの迅速な復帰可能性を残しつつ、その情報表示機能をメインパネルＡからサブパネルＢに移譲した形となる。なお、当該第１節電状態ｄへの遷移と同時に、タイマがリセットされる。
【００３１】
複合機Ｘの動作状態が第１節電状態ｄとされている場合、ステップＳ７では、操作部Ｄに対して入力操作が為されたか否かの判定が行われる。ここで、入力操作が為されていないと判定された場合は、フローがステップＳ８に進められる。一方、入力操作が為されたと判定された場合は、フローがステップＳ３に戻されて、複合機Ｘの動作状態は、通常状態ｃに復帰される。このような構成とすることにより、必要に応じてメインパネルＡにおける表示内容確認や機器操作を遅滞なく行うことが可能となる。
【００３２】
ステップＳ７で操作部Ｄに入力操作が為されていないと判定された場合、ステップＳ８では、前記タイマのカウント値に基づいて、操作部Ｄに入力操作が為されないまま所定時間Ｔ２を経過しているか否かの判定が行われる。ここで、所定時間Ｔ２を経過していると判定された場合は、フローがステップＳ９に進められ、経過していないと判定された場合は、フローがステップＳ７に戻される。
【００３３】
ステップＳ８で所定時間Ｔ２を経過していると判定された場合、ステップＳ９では、複合機Ｘの動作状態が第２節電状態ｅに遷移され、メインパネルＡがシャットダウンモードとされる。一方、サブパネルＢは引き続き通常モードに維持される。すなわち、複合機Ｘの動作状態は、通常状態ｃへの迅速な復帰可能性よりも、一層の省電力化を重視した形となる。なお、当該第２節電状態ｅへの遷移と同時に、タイマがリセットされる。
【００３４】
複合機Ｘの動作状態が第２節電状態ｅとされている場合、ステップＳ１０では、操作部Ｄに対して入力操作が為されたか否かの判定が行われる。ここで、入力操作が為されていないと判定された場合は、フローがステップＳ１１に進められる。一方、入力操作が為されたと判定された場合には、フローがステップＳ３に戻されて、複合機Ｘの動作状態は、通常状態ｃに復帰される。このような構成とすることにより、必要に応じてメインパネルＡにおける表示内容確認や機器操作を遅滞なく行うことが可能となる。
【００３５】
ステップＳ１０で操作部Ｄに入力操作が為されていないと判定された場合、ステップＳ１１では、前記タイマのカウント値に基づいて、操作部Ｄに入力操作が為されないまま所定時間Ｔ３を経過しているか否かの判定が行われる。ここで、所定時間Ｔ３を経過していると判定された場合は、フローがステップＳ１２に進められ、経過していないと判定された場合は、フローがステップＳ１０に戻される。
【００３６】
ステップＳ１１で所定時間Ｔ３を経過していると判定された場合、ステップＳ１２では複合機Ｘの動作状態が第３節電状態ｆに遷移され、サブパネルＢがスリープモードとされる。一方、メインパネルＡは引き続きシャットダウンモードに維持される。すなわち、複合機Ｘの動作状態は、第２節電状態ｅへの迅速な復帰可能性を残しつつ、その情報表示機能を捨てて一層の省電力化を重視した形となる。なお、当該第３節電状態ｆへの遷移と同時に、タイマがリセットされる。
【００３７】
複合機Ｘの動作状態が第３節電状態ｆとされている場合、ステップＳ１３では、操作部Ｄに対して入力操作が為されたか否かの判定が行われる。ここで、入力操作が為されていないと判定された場合は、フローがステップＳ１４に進められる。一方、入力操作が為されたと判定された場合には、フローがステップＳ３に戻されて、複合機Ｘの動作状態は、通常状態ｃに復帰される。このような構成とすることにより、必要に応じてメインパネルＡにおける表示内容確認や機器操作を遅滞なく行うことが可能となる。
【００３８】
ステップＳ１３で操作部Ｄに入力操作が為されていないと判定された場合、ステップＳ１４では、通信部Ｅでのデータ通信が為されたか否かの判定が行われる。ここで、データ通信が為されていないと判定された場合は、フローが続くステップＳ１５に進められる。一方、データ通信が為されたと判定された場合は、フローがステップＳ９に戻されて、複合機Ｘの動作状態は、第２節電状態ｅに復帰される。このような構成とすることにより、機器の消費電力を不要に増大することなく、データ通信が為された旨を的確に報知することが可能となる。
【００３９】
ステップＳ１４で通信部Ｅでのデータ通信が為されていないと判定された場合、ステップＳ１５では、前記タイマのカウント値に基づいて、操作部Ｄへの入力操作及び通信部Ｅでのデータ通信が為されないまま所定時間Ｔ４を経過しているか否かの判定が行われる。ここで、所定時間Ｔ４を経過していると判定された場合は、フローがステップＳ１６に進められ、経過していないと判定された場合は、フローがステップＳ１３に戻される。
【００４０】
ステップＳ１５で所定時間Ｔ４を経過していると判定された場合、ステップＳ１６では複合機Ｘの動作状態が第４節電状態ｇに遷移され、サブパネルＢがシャットダウンモードとされる。一方、メインパネルＡは引き続きシャットダウンモードに維持される。すなわち、複合機Ｘの動作状態は、第２節電状態ｅへの迅速な復帰可能性よりも、一層の省電力化を重視した形となる。なお、当該第４節電状態ｇへの遷移と同時に、タイマがリセットされる。
【００４１】
複合機Ｘの動作状態が第４節電状態ｇとされている場合、ステップＳ１７では、操作部Ｄに対して入力操作が為されたか否かの判定が行われる。ここで、入力操作が為されていないと判定された場合は、フローがステップＳ１８に進められる。一方、入力操作が為されたと判定された場合には、フローがステップＳ３に戻されて、複合機Ｘの動作状態は、通常状態ｃに復帰される。このような構成とすることにより、必要に応じてメインパネルＡにおける表示内容確認や機器操作を遅滞なく行うことが可能となる。
【００４２】
ステップＳ１７で操作部Ｄに入力操作が為されていないと判定された場合、ステップＳ１８では、通信部Ｅでのデータ通信が為されたか否かの判定が行われる。ここで、データ通信が為されていないと判定された場合には、フローがステップＳ１７に戻されて、複合機Ｘの動作状態は、引き続き第４節電状態ｇに維持される。一方、データ通信が為されたと判定された場合は、フローがステップＳ９に戻されて、複合機Ｘの動作状態は、第２節電状態ｅに復帰される。このような構成とすることにより、機器の消費電力を不要に増大することなく、データ通信が為された旨を的確に報知することが可能となる。
【００４３】
なお、図５はパネルＡ、Ｂの動作モード遷移を個別に説明するための図である。
【００４４】
上記したように、本実施形態の複合機Ｘにおいて、パネルコントローラＣは、操作部Ｄに入力操作が為されないまま所定時間が経過する毎に機器の動作状態を通常状態ｃから第１節電状態ｄ、第２節電状態ｅ、第３節電状態ｆ、第４節電状態ｇへと段階的に切り換えるべく、各パネルＡ、Ｂの動作モードを遷移制御する構成としている。このような構成とすることにより、情報表示能力の維持と状態復帰の迅速性向上を図りつつ、適切な省電力化を行うことが可能となる。
【００４５】
なお、上記の実施形態では、本発明を複合機に適用した場合を例に挙げて説明を行ったが、本発明の適用対象はこれに限定されるものではなく、表示パネルを有する電子機器全般に広く適用することが可能である。
【００４６】
また、上記の実施形態では、パネル制御テーブル（図３を参照）を用いて複合機Ｘの動作状態（パネルＡ、Ｂの各動作モード）を変遷制御する構成を例示して説明を行ったが、本発明の構成はこれに限定されるものではなく、パネル制御テーブルを持たずに状態遷移のみで上記制御を行う構成としても構わない。
【００４７】
また、上記の実施形態では、メインパネルＡの他にサブパネルＢを１つだけ設けた構成を例示して説明を行ったが、本発明の構成はこれに限定されるものではなく、メインパネルＡよりも消費電力の小さいものであれば、サブパネルはいくつ設けても構わない。例えば、サブパネルＢに対する第２サブパネル（例えば、ＬＥＤ［Light Emitting Diode］等の発光素子やデバイスなど、メインパネルＡ及びサブパネルＢよりも消費電力の小さい簡易的な表示手段）を設け、各パネルの動作モードを適切に変遷させる構成とすれば、情報表示能力の低下を最小限に抑えつつ、一層の省電力化を図ることが可能となる。
【００４８】
また、上記の実施形態では、メインパネルＡ及びサブパネルＢと操作部Ｄとを別構成要素として各個に設けた構成を例に挙げて説明を行ったが、本発明の構成はこれに限定されるものではなく、メインパネルＡ及び／またはサブパネルＢに操作部Ｅの機能を内包させた構成（いわゆるタッチパネル構造）を採用しても構わない。
【００４９】
また、上記の実施形態では、操作部Ｄに入力操作が為された場合、及び通信部Ｅでのデータ通信が為された場合における各復帰動作状態（通常状態ｃ及び第２節電状態ｅ）を各々固定とした場合を例に挙げて説明を行ったが、本発明の構成はこれに限定されるものではなく、どの状態に復帰するかを設定可能な構成としてもよい。
【産業上の利用可能性】
【００５０】
本発明は、表示パネルを有する電子機器の省電力化に関して有用な技術であり、特に、厳しい省電力化規格が定められているＯＡ機器（複合機に代表される画像形成装置全般）に好適な技術であると言える。
【図面の簡単な説明】
【００５１】
【図１】は、本発明に係る複合機の一実施形態を示す要部ブロック図である。
【図２】は、パネルＡ、Ｂの動作モードを説明するための図である。
【図３】は、パネル制御テーブルの一例である。
【図４】は、複合機Ｘの動作状態遷移を説明するためのフローチャートである。
【図５】は、パネルＡ、Ｂの動作モード遷移を個別に説明するための図である。
【符号の説明】
【００５２】
Ｘ    複合機
Ａ    メインパネル
Ａ１    表示部
Ａ２    起動制御部
Ａ３    電源制御部
Ａ４    スリープ制御部
Ｂ    サブパネル
Ｂ１    表示部
Ｂ２    電源制御部
Ｂ３    スリープ制御部
Ｃ    パネルコントローラ
Ｃ１    状態監視部
Ｃ２    起動制御部
Ｃ３    電源制御部
Ｃ４    スリープ制御部
Ｄ    操作部
Ｅ    通信部
【図１】
2005153274.tif 000003
【図２】
2005153274.tif 000004
【図３】
2005153274.tif 000005
【図４】
2005153274.tif 000006
【図５】
2005153274.tif 000007